(57)【要約】【課題】耕耘装置の上方を覆う耕耘カバーを備え、メンテナンスコストや修理費等を低減させることが可能な農作業機を提供することを課題としている。【解決手段】本発明は、車輪７の前方に配置されて圃場の耕耘作業を行う耕耘装置４と、該耕耘装置４の前方に配置されて圃場に接地されることにより耕耘深さを調整する接地輪１１と、耕耘装置４の上方を覆う耕耘カバー６とを備えた農作業機において、耕耘カバー６が、中央カバー体２９と、中央カバー体２９の左側に配置された左カバー体３１Ｌと、中央カバー体２９の右側に配置された右カバー体３１Ｒとに別体成形されてなる。【選択図】図２
2010124713.tif 000002
【特許請求の範囲】
【請求項１】
車輪（７）の前方に配置されて圃場の耕耘作業を行う耕耘装置（４）と、該耕耘装置（４）の前方に配置されて圃場に接地されることにより耕耘深さを調整する接地輪（１１）と、耕耘装置（４）の上方を覆う耕耘カバー（６）とを備えた農作業機において、耕耘カバー（６）が、中央カバー体（２９）と、中央カバー体（２９）の左側に配置された左カバー体（３１Ｌ）と、中央カバー体（２９）の右側に配置された右カバー体（３１Ｒ）とに別体成形されてなる農作業機。
【請求項２】
耕耘カバー（６）における中央カバー体（２９）が金属製板状部材からなり、左カバー体（３１Ｌ）及び右カバー体（３１Ｒ）が合成樹脂製部材よりなる請求項１の農作業機。
【請求項３】
左カバー体（３１Ｌ）と右カバー体（３１Ｒ）とを、共通の同一形状の部材により構成した請求項１又は２の農作業機。
【発明の詳細な説明】
【技術分野】
【０００１】
この発明は、耕耘装置の上方を覆う耕耘カバーを備えた農作業機に関する。
【背景技術】
【０００２】
車輪の前方に配置されて圃場の耕耘作業を行う耕耘装置と、該耕耘装置の前方に配置されて圃場に接地されることにより耕耘深さを調整する接地輪と、耕耘装置の上方を覆う耕耘カバーとを備えた特許文献１に示す農作業機が公知になっている。
【特許文献１】特開２００６−２０５６３号公報
【発明の開示】
【発明が解決しようとする課題】
【０００３】
しかし、上記文献の農作業機は、耕耘カバーが一体的に成形されているため、耕耘カバーの一部が破損した場合でも、耕耘カバー全体を交換する必要があることが多く、修理費やメンテナンスコストが高くなる傾向があるという課題がある。
本発明は、上記課題を解決し、耕耘装置の上方を覆う耕耘カバーを備え、メンテナンスコストや修理費を低減させることが可能な農作業機を提供することを目的としている。
【課題を解決するための手段】
【０００４】
上記目的を達成するため本発明の農作業機は、第１に、車輪７の前方に配置されて圃場の耕耘作業を行う耕耘装置４と、該耕耘装置４の前方に配置されて圃場に接地されることにより耕耘深さを調整する接地輪１１と、耕耘装置４の上方を覆う耕耘カバー６とを備えた農作業機において、耕耘カバー６が、中央カバー体２９と、中央カバー体２９の左側に配置された左カバー体３１Ｌと、中央カバー体２９の右側に配置された右カバー体３１Ｒとに別体成形されてなることを特徴としている。
【０００５】
第２に、耕耘カバー６における中央カバー体２９が金属製板状部材からなり、左カバー体３１Ｌ及び右カバー体３１Ｒが合成樹脂製部材よりなることを特徴としている。
【０００６】
第３に、左カバー体３１Ｌと右カバー体３１Ｒとを、共通の同一形状の部材により構成したことを特徴としている。
【発明の効果】
【０００７】
以上のように構成される本発明の農作業機によれば、耕耘カバーが、中央カバー体と、中央カバー体の左側に配置された左カバー体と、中央カバー体の右側に配置された右カバー体とに別体成形され、耕耘カバーの一部が破損した場合にも、耕耘カバー全体を交換する必要がなく、破損した部分のみを交換すればよいため、メンテナンスコストや修理費を低減させることが可能になるという効果がある。
【０００８】
また、耕耘カバーにおける中央カバー体が強度の高い金属製板状部材からなり、左カバー体及び右カバー体が安価且つ軽量な合成樹脂製部材からなるため、強度を一定以上保ちつつ、軽量化及びコスト低減を図ることができるという効果がある。
【０００９】
さらに、左カバー体と右カバー体とを、共通の同一形状の部材により構成することにより、部品の兼用が可能になるため、製造コストをさらに低減させることが可能になるという効果がある。
【発明を実施するための最良の形態】
【００１０】
以下図示する例に基づき本発明の実施形態について説明する。
図１，２は、本発明の農作業機を適用した歩行型の管理機の全体側面図及び全体平面図である。本管理機は、側面視中央から両端に向かって下降傾斜するへの字状に成形されて機体フレームの少なくとも一部をなすミッションケース１と、ミッションケース１上方に固定設置（固設）されたエンジン２と、エンジン２からミッションケース１内の変速装置（図示しない）に動力を伝動する伝動ベルト（図示しない）を収容する伝動ケース３と、ミッションケース１前側下部に支持された耕耘ロータリ（耕耘装置）４と、耕耘ロータリ４上方を覆う耕耘カバー６と、ミッションケース１後側下部の左右両側方に配置された左右一対の車輪（走行部）７と、操向操作を行うハンドル８と、各種操作を行う操作レバー（操作具）９と、耕耘ロータリ４の前方に配置された接地輪１１と、を備えている。
【００１１】
上記伝動ケース３には、伝動ベルトのテンションを調節することによりエンジン２からミッションケース１内の変速装置への動力伝動を断続させるテンションプーリよりなるクラッチ（図示しない）が設けられている。
【００１２】
図３は、耕耘ロータリの構成を示す平断面図である。上記耕耘ロータリ４は、ミッションケース１前側下部に軸回りに回転可能に支持されて変速装置による変速後の動力がチェーン１２を介して伝動される左右方向のロータリ軸１３と、ロータリ軸１３の動力によって回転駆動される複数のナタ状の耕耘爪１４，１６とを備えている。
【００１３】
ロータリ軸１３の左右の各端部側に位置する耕耘爪である複数の外爪１４は、ロータリ軸１３に対向状態でそれぞれ取付固定されている。ロータリ軸１３の左右方向中央側に位置する耕耘爪である複数の内爪１６は、ロータリ軸１３外周を覆いロータリ軸１３に回転自在に支持されるスリーブ状の左右一対の伝動筒１７に対向状態でそれぞれ取付固定されている。左右の各伝動筒１７は、ベベルギヤ１８等を介して、ロータリ軸１３の動力が逆転されて伝動される。このため、外爪１４と内爪１６は、逆方向に回転駆動される。
【００１４】
上記左右一対の車輪７は、図１及び２に示すように、ミッションケース１後側下部に軸回りに回転可能に支持されて変速装置による変速後の動力が伝動される左右方向の車軸１９の両端部にそれぞれ取付固定される。
【００１５】
上記ハンドル８は、１本のパイプを両端部が左右に並ぶとともに中途部が左右方向の延びるＵ字状に屈曲成形することによりなり、ハンドル８の両端部は、ミッションケース１後部から後方斜め上方に延設されたハンドルフレーム２１に前後揺動調節可能に取付支持されている。
【００１６】
すなわち、ハンドル８は、左右方向の延びるグリップ部８ａと、グリップ部８ａの左右端部からそれぞれハンドルフレーム２１側に延びる棒状の左右一対の支持部８ｂ，８ｂとからなり、前方揺動されて固定されることにより側面視ミッションケース１側に倒伏して収納される収容姿勢に切換えられる一方で、後方揺動されて固定されることにより側面視ミッションケース１から後方斜め上方に延びる操作姿勢に切換えられる。
【００１７】
上記ハンドル８には、ハンドル８の把持部８ａと、左右の支持部８ｂ，８ｂの把持部側端部とに沿うＵ字状のクラッチレバー（クラッチ操作具）２２が上下揺動可能に支持されている。作業者が、クラッチレバー２２をグリップ部８ａとまとめて把持可能な下方位置に揺動させると、ワイヤ２３の引張作用により上記クラッチが入作動され、エンジンから変速装置に動力が伝動される状態になる一方で、クラッチレバー２２をグリップ部８ａから離間する上方位置に揺動させると、ワイヤ２３の引張作用が解除されて上記クラッチが切作動され、エンジンから変速装置への動力伝動が遮断される。ちなみに、クラッチレバー２２は、上方揺動側に常時弾力的に付勢されているため、作業者がクラッチレバー２２から手を離すと、クラッチは切作動される。
【００１８】
上記操作レバー９は上下方向に形成され、その下端部が上下方向の操作軸２４の上端部に係脱自在に係合固定されている。操作軸２４は、ガイド板（ガイド体）２６のガイド孔２６ａに挿通されており、ガイド孔２６ａによって前後及び左右に揺動案内されて上記変速装置を変速切換作動させる。
【００１９】
図４は、ガイド板の平面図である。作業者は、操作レバー９を揺動操作して操作軸２４をガイド溝２６ａにおける後進箇所（同図で「Ｒ」で示す箇所）に位置させることにより、耕耘ロータリ４の駆動を停止させた状態で車輪７を後進駆動させ、操作レバー９を揺動操作して操作軸２４をガイド溝２６ａにおける前進箇所（同図で「Ｆ」で示す箇所）に位置させることにより、耕耘ロータリ４の駆動を停止させた状態で車輪７を前進駆動させ、操作レバー９を揺動操作して操作軸２４をガイド溝２６ａにおける耕耘箇所（同図で「耕うん」で示す箇所）に位置させることにより車輪７を前進駆動させるとともに耕耘ロータリ４を駆動させ、操作レバー９を揺動操作して操作軸２４をガイド溝２６ａにおけるその場耕耘箇所（同図で「その場耕うん」で示す箇所）に位置させることにより車輪７を駆動停止させた状態で耕耘ロータリ４を駆動させる。
【００２０】
なお、操作レバー９は、操作軸２４から取外して、ハンドルフレーム２１からミッションケース１に至る範囲に、後方斜め上方を向いた状態で、収納支持させることができる。
【００２１】
上記接地輪１１は、図１及び２に示すように、ミッションケース１に対して固定されたブラケット２７に後端部（基端部）が上下揺動角調整可能に係合固定された平面視前後方向に延びる支持杆２８の前端部（先端部）に、前後回転作動可能に支持されている。後述のカバーフレーム（図示しない）又はミッションケース１に取付固定された上記ブラケット２７には、支点溝２７ａと、支点溝２８を中心とする円弧状に形成された調整溝２７ｂとが穿設されている。
【００２２】
支持杆２８の基端部を支点溝２７ａに係合させるとともに支持杆２８中途部を調整溝２７ｂに係合させることにより支持杆２８がブラケット２７に支持固定されるが、支持杆２８の中途部の調整溝２７ｂ内での係合位置を変更することにより、支持杆２８がブラケット２７に対して上下揺動され、圃場に接地される車輪７及び接地輪１１に対して耕耘ロータリ４の上下位置が変位し、耕耘ロータリ４による圃場での耕耘深さが変更調整される。
【００２３】
なお、接地輪１１を圃場に接地させる接地姿勢にする場合には、支持杆２８が基端部から先端部に向かって下方傾斜した状態になる一方で、接地輪１１を圃場に接地させない非接地姿勢にする場合には、支持杆２８が基端部から先端部に向かって上方傾斜した状態になる。
【００２４】
次に、図１，２，５及び６に基づき、耕耘カバー６の構成について説明する。
図５は、中央カバーの平面図であり、図６は、左カバー及び右カバーの平面図である。耕耘カバー６は、別体成形された３つの部材からなり、３部材の内の１つは、鉄板（金属製板状部材）を形成することによりなる中央カバー体２９であり、３部材の内の１つは、中央カバー体２９の左部（左側）に配置された合成樹脂製部材よりなる板状の左カバー体３１Ｌであり、３部材の内の１つは、中央カバー２９の右部（右側）に配置された合成樹脂製部材よりなる板状の右カバー体３１Ｒである。
【００２５】
中央カバー体２９は、平面視左右方向に長い方形状に成形され、後端部が前方に向かって斜め上方に傾斜するとともに前端部が水平状になるように中途部が基端部に対して下方に湾曲成形されている。中央カバー体２９を構成する左部と中央部と右部の内、左部及び右部は中央部に対して一段低い下段部２９ａ，２９ｂをなしている。くわえて、中央カバー体２９前部の左右方向中央部には左右方向に延びる凸状の取付座２９ｃが一体的に上方に向かって突設されている他、中央カバー体２９後部の左右方向中央部には後方が開放された切欠き状部２９ｄが形成されている。
【００２６】
左右の下段部２９ａ，２９ｂは、互いに左右対称な形状で且つそれぞれ前後方向中央から前後端に向かって左右幅が広くなるように上下対称な形状に成形されている。
【００２７】
取付座２９ｃには正面視逆Ｕ字状の補助グリップ３２がボルト固定されており、この補助グリップ３２及びハンドルフレーム２１の上端部に固定された左右方向のバー３０を把持することにより、持運びが楽になるように本管理機が構成されている。
【００２８】
切欠き状部２９ｄを構成する対向する左右の側部は、ミッションケース１前半部に固設されたカバーフレームに、それぞれ強固にボルト固定されている。すなわち、中央カバー体２９はカバーフレームにボルト固定され、耕耘ロータリ７の真上及び後側上方を覆っている。
【００２９】
左カバー体３１Ｌと右カバー体３１Ｒとは、同一材質の合成樹脂によりなり、同一の金型により一体的に成形され、互いに同一形状をなしている。そして、中央カバー体２９の左側下段部２９ａに嵌合状態で取付けられる左カバー体３１Ｌに対して、右カバー体３１Ｒは、水平面状に１８０度反転させた姿勢で、中央カバー体２９の右側下段部２９ｂに嵌合状態で取付けられる。
【００３０】
具体的には、左右のカバー体３１Ｌ，３１Ｒは、前述の嵌合時、それぞれ、カバー体３１Ｌ，３１Ｒ下面が対応する左右の下段部２９ａ，２９ｂ上面に当接した状態で下段部２９ａ，２９ｂ全体を覆い隠してカバー体３１Ｌ，３１Ｒ上面が中央カバー体２９の左右方向中央部上面と連接して単一状の面をなすとともに、左右のカバー体３１Ｌ，３１Ｒの外側側端縁及び前後端縁が、中央カバー体２９の左右端縁及び前後端縁に沿うような形状に成形されている。
【００３１】
左右のカバー体３１Ｌ，３１Ｒを対応する下段部２９ａ，２９ｂに取付けるには、まず、各カバー体３１Ｌ，３１Ｒを対応する下段部２９ａ，２９ｂに嵌合させ、次に、各カバー体３１Ｌ，３１Ｒ及び各下段部２９ａ，２９ｂの前中後３箇所にそれぞれ穿設されたボルト孔３３，３４に挿通させる計６本のボルト３６によって、各カバー体３１Ｌ，３１Ｒを対応する中央カバー体２９にボルト固定する。
【００３２】
左右のカバー体３１Ｌ，３１Ｒは、以上のようにして、中央カバー体２９に対して着脱自在に取付固定されるが、例えば、カバー体３１Ｌ，３１Ｒのみを色違いで交換することにより、バリエーションを容易に増やすことができる。くわえて、左右のカバー体３１Ｌ，３１Ｒの色を圃場面に対して目立つ色に設定することにより、耕耘作業の視認性を向上させることも可能である。
【図面の簡単な説明】
【００３３】
【図１】本発明の農作業機を適用した歩行型の管理機の全体側面図である。
【図２】本発明の農作業機を適用した歩行型の管理機の全体平面図である。
【図３】耕耘ロータリの構成を示す平断面図である。
【図４】ガイド板の平面図である。
【図５】中央カバーの平面図である。
【図６】左カバー体及び右カバー体の平面図である。
【符号の説明】
【００３４】
４  耕耘ロータリ（耕耘装置）
７  車輪（走行部）
６  耕耘カバー
１１  接地輪
２９  中央カバー体
３１Ｌ  左カバー体（カバー体）
３１Ｒ  右カバー体（カバー体）
【図１】
2010124713.tif 000003
【図２】
2010124713.tif 000004
【図３】
2010124713.tif 000005
【図４】
2010124713.tif 000006
【図５】
2010124713.tif 000007
【図６】
2010124713.tif 000008